(57)【特許請求の範囲】
【請求項１】
上枠、下枠および左右の縦枠を枠組みしてなるドア枠と、前記ドア枠に対し、前記ドア枠内の開口を開閉可能に取り付けられるドアと、の間の止水構造において、
前記下枠の内側に下部戸当りが凸設され、
前記縦枠の内側に縦戸当りが凸設され、
前記ドア枠、前記下部戸当り、前記縦戸当りおよび前記ドアに対して着脱可能な板材が前記下部戸当りおよび前記縦戸当りに立て掛けられ、
前記板材の下端部に沿って下部シールが設けられ、
前記板材の側端部に沿って側部シールが設けられ、
前記下部シールには、前記板材の下端部側から屋外側に延出する下部軟質止水材が前記下枠に沿って設けられ、
前記側部シールには、前記板材の側端部側から屋外側に延出する側部軟質止水材が前記縦枠に沿って設けられ、
前記ドアが閉じた状態において、前記板材の下端部と前記下部シールとが前記下部戸当りと前記ドアとの間に挟持され、前記板材の側端部と前記側部シールとが前記縦戸当りと前記ドアとの間に挟持されるとともに、
前記下部軟質止水材が前記下枠と前記ドアの下面との間に挟持され、前記側部軟質止水材が前記縦枠と前記ドアの側面との間に挟持されることを特徴とする止水構造。
【請求項２】
請求項１に記載の止水構造において、
前記下部軟質止水材および前記側部軟質止水材が前記ドア側に向かうにつれて厚み寸法が増大するくさび状にそれぞれ形成されることを特徴とする止水構造。
【請求項３】
請求項１または２に記載の止水構造において、
前記下部軟質止水材には、前記ドアの下面との当接面に前記ドアとの摩擦抵抗を増大させる下部滑り止めが設けられ、
前記側部軟質止水材には、前記ドアの側面との当接面に前記ドアとの摩擦抵抗を増大させる側部滑り止めが設けられることを特徴とする止水構造。
【請求項４】
請求項１から３のいずれか一項に記載の止水構造において、
前記下部軟質止水材が前記ドアの下面との当接面の縁端部に前記ドアに向かって突起する下部突起部を備え、
前記側部軟質止水材が前記ドアの側面との当接面の縁端部に前記ドアに向かって突起する側部突起部を備えることを特徴とする止水構造。
【請求項５】
請求項１から４のいずれか一項に記載の止水構造において、
前記下部戸当りの前記ドア側の面に下部パッキンが前記下部戸当りに沿って設けられ、
前記縦戸当りの前記ドア側の面に少なくとも前記板材の側端部の範囲で、かつ、縦パッキンが前記縦戸当りに沿って設けられ、
前記下部パッキンと前記縦パッキンとが切れ目なく接続しており、
前記下部パッキンが前記板材の下端部および前記下部シールとともに前記下部戸当りと前記ドアとの間に挟持され、
前記縦パッキンが前記板材の側端部および前記側部シールととともに前記縦戸当りと前記ドアとの間に挟持されることを特徴とする止水構造。
【請求項６】
請求項１から５のいずれか一項に記載の止水構造において、
前記下部戸当りと前記縦戸当りとには、パッキンが設けられ、
前記パッキンは、前記下部戸当りの前記下部シールが当接する箇所と、前記縦戸当りの前記側部シールが当接する箇所とが、戸当りの他の箇所に比して弾性が高いことを特徴とする止水構造。
【請求項７】
請求項１から６のいずれか一項に記載の止水構造を採用して前記ドア枠と前記ドアとの間を止水する止水方法であって、
前記ドアが開いた状態において、前記下部軟質止水材および前記側部軟質止水材がそれぞれ前記下枠および前記縦枠に当接するように、前記板材を前記下部戸当りおよび前記縦戸当りに立て掛け、
前記ドアを閉めることで、前記板材の下端部と前記下部シールとを前記下部戸当りと前記ドアとの間に挟持し、
前記板材の側端部と前記側部シールとを前記縦戸当りと前記ドアとの間に挟持し、
前記下部軟質止水材を前記下枠と前記ドアの下面との間に挟持し、
前記側部軟質止水材を前記縦枠と前記ドアの側面との間に挟持することを特徴とする止水方法。
【発明の詳細な説明】
【技術分野】
【０００１】
本発明は、止水構造および止水方法に関する。
【背景技術】
【０００２】
従来、扉と扉を受ける戸当りとの間に止水板を挟み込み、扉の開口から水が浸入しないような扉の止水構造が利用されている。
特許文献１には、ドア枠１０に設けられた戸当り２０と、開き戸式の扉である扉体３０との間に止水板５０を挟み込むような防水ドア構造が記載されている。
具体的には、止水板５０の下端部および側端部にそれぞれ下部シール５３および側部シール５５が設けられている。
これら下部シール５３と側部シール５５に当接する戸当り２０の箇所には、下部パッキン６３と縦パッキン６５とがそれぞれ設けられている。
そして、扉体３０が閉められることで、下部シール５３と下部パッキン６３とが圧接され、側部シール５５と縦パッキン６５とが圧接されることで、止水性を実現している。
【先行技術文献】
【特許文献】
【０００３】
【特許文献１】特開２０１４−２１８７９４号公報
【発明の概要】
【発明が解決しようとする課題】
【０００４】
しかしながら、特許文献１に記載の防水ドア構造では、扉体３０の下面（下部シール５３のフランジ部５３ｃ）、および、扉体３０の側面（側部シール５５のフランジ部５５ｃ）まで何ら干渉を受けずに水が浸入することとなる。このため、水の浸入を防ぐ接面（例えば、扉体３０とフランジ部５３ｃとの接面）が限られてしまい、止水性を確保することが十分ではないという問題がある。
また、このような構成の場合では、板材５１が両端部のウエブ５５ａを含めた幅寸法が縦枠１５の離間寸法よりも僅かに大きくなければ、ウエブ５５ａが縦枠１５に圧着されないため、ウエブ５５ａが縦枠１５に当接していない場合、水が縦パッキン６５まで浸入してしまい止水性が低下してしまうという問題がある。
また、止水チューブ３３に気体もしくは液体を封入しなければ止水性を発揮することができず、手間が掛かり、設置するのに時間を要するという問題がある。
【０００５】
本発明は、上記課題に鑑みてなされたもので、迅速に設置ができ、かつ、高い止水性を発揮できる止水構造および止水方法を提供することを目的とする。
【課題を解決するための手段】
【０００６】
上記課題を解決するため、請求項１に記載の発明は、例えば、図１−３に示すように、上枠１２、下枠１３および左右の縦枠１４，１５を枠組みしてなるドア枠１０と、前記ドア枠１０に対し、前記ドア枠１０内の開口２ａを開閉可能に取り付けられるドア３０と、の間の止水構造１において、前記下枠１３の内側に下部戸当り２３が凸設され、前記縦枠１４，１５の内側に縦戸当り２４，２５が凸設され、前記ドア枠１０、前記下部戸当り２３、前記縦戸当り２４，２５および前記ドア３０に対して着脱可能な板材５１が前記下部戸当り２３および前記縦戸当り２４，２５に立て掛けられ、前記板材５１の下端部に沿って下部シール５３が設けられ、前記板材５１の側端部に沿って側部シール５４，５５が設けられ、前記下部シール５３には、前記板材５１の下端部側から屋外側に延出する下部軟質止水材５３ｄが前記下枠１３に沿って設けられ、前記側部シール５４，５５には、前記板材５１の側端部側から屋外側に延出する側部軟質止水材５５ｄが前記縦枠２４，２５に沿って設けられ、前記ドア３０が閉じた状態において、前記板材５１の下端部と前記下部シール５３とが前記下部戸当り２３と前記ドア３０との間に挟持され、前記板材５１の側端部と前記側部シール５４，５５とが前記縦戸当り１４，１５と前記ドア３０との間に挟持されるとともに、前記下部軟質止水材５３ｄが前記下枠１３と前記ドア３０の下面との間に挟持され、前記側部軟質止水材５５ｄが前記縦枠１４，１５と前記ドア３０の側面との間に挟持されることを特徴とする。
【０００７】
請求項１に記載の発明によれば、上枠１２、下枠１３および左右の縦枠１４，１５を枠組みしてなるドア枠１０と、ドア枠１０に対し、ドア枠１０内の開口２ａを開閉可能に取り付けられるドア３０と、の間の止水構造１において、下枠１３の内側に下部戸当り２３が凸設され、縦枠１４，１５の内側に縦戸当り２４，２５が凸設され、ドア枠１０、下部戸当り２３、縦戸当り２４，２５およびドア３０に対して着脱可能な板材５１が下部戸当り２３および縦戸当り２４，２５に立て掛けられ、板材５１の下端部に沿って下部シール５３が設けられ、板材５１の側端部に沿って側部シール５４，５５が設けられ、下部シール５３には、板材５１の下端部側から屋外側に延出する下部軟質止水材５３ｄが下枠１３に沿って設けられ、側部シール５４，５５には、板材５１の側端部側から屋外側に延出する側部軟質止水材５５ｄが縦枠２４，２５に沿って設けられ、ドア３０が閉じた状態において、板材５１の下端部と下部シール５３とが下部戸当り２３とドア３０との間に挟持され、板材５１の側端部と側部シール５４，５５とが縦戸当り１４，１５とドア３０との間に挟持されるとともに、下部軟質止水材５３ｄが下枠１３とドア３０の下面との間に挟持され、側部軟質止水材５５ｄが縦枠１４，１５とドア３０の側面との間に挟持されるので、下枠１３および縦枠１４，１５とドア３０との間に板材５１を挟み込むよりも広い範囲において止水性を発揮させることができる。
具体的には、ドア３０が戸当りと当接する箇所だけでなく、下部軟質止水材５３ｄおよび側部軟質止水材５５ｄを設けることで、ドア３０の下面および側面までが止水性を発揮することができる。
このため、板材５１の下端部および側端部に下部軟質止水材５３ｄおよび側部軟質止水材５５ｄを設けることで、ドア３０と戸当りとの間に板材５１を挟み込むだけの場合に比べて、より高い止水性を発揮することができる。
【０００８】
請求項２に記載の発明は、請求項１に記載の止水構造において、例えば、図２−４に示すように、前記下部軟質止水材５３ｄおよび前記側部軟質止水材５５ｄが前記ドア３０側に向かうにつれて厚み寸法が増大するくさび状にそれぞれ形成されることを特徴とする。
【０００９】
請求項２に記載の発明によれば、下部軟質止水材５３ｄおよび側部軟質止水材５５ｄがドア３０側に向かうにつれて厚み寸法が増大するくさび状にそれぞれ形成されるので、板材５１を戸当りに立てかけた際、ドア３０を収容する空間は、ドア３０側に向かうとともに小さくなる。
このため、ドア３０を閉める際、下部軟質止水材５３ｄおよび側部軟質止水材５５ｄがドア３０と干渉するので、ドア３０を閉めるのに大きな抵抗が生じることとなる。
しかしながら、この抵抗は、下部軟質止水材５３ｄおよび側部軟質止水材５５ｄがドア３０と高い圧力で圧着することにつながるため、高い止水性を発揮することができる。
また、くさび形状により生じる抵抗は、ドア３０を開放する際の抵抗として作用するため、冠水している状態において、例えば、子供が誤ってドア３０を開けてしまうことを防止することができる。
【００１０】
請求項３に記載の発明は、請求項１または２に記載の止水構造において、例えば、図４に示すように、前記下部軟質止水材５３ｄには、前記ドア３０の下面との当接面に前記ドア３０との摩擦抵抗を増大させる下部滑り止め５３ｅが設けられ、前記側部軟質止水材５５ｄには、前記ドア３０の側面との当接面に前記ドア３０との摩擦抵抗を増大させる側部滑り止め５５ｅが設けられることを特徴とする。
【００１１】
請求項３に記載の発明によれば、下部軟質止水材５３ｄには、ドア３０の下面との当接面にドア３０との摩擦抵抗を増大させる下部滑り止め５３ｅが設けられ、側部軟質止水材５５ｄには、ドア３０の側面との当接面にドア３０との摩擦抵抗を増大させる側部滑り止め５５ｅが設けられるので、ドア３０を閉めた状態において、下部滑り止め５３ｅおよび側部滑り止め５５ｅがドア３０の下面および側面に当接されることとなり、下部軟質止水材５３ｄおよび側部軟質止水材５５ｄとドア３０とが位置ずれを起こすおそれがない。
また、下部滑り止め５３ｅおよび側部滑り止め５５ｅがドア３０を係止するので、ドア３０を閉める際、板材５１などの厚みによってドア３０が所定の位置まで閉じない場合でも、ドア３０が開いてしまうおそれがなく、止水性を発揮することができる。
【００１２】
請求項４に記載の発明は、請求項１から３のいずれか一項に記載の止水構造において、例えば、図４に示すように、前記下部軟質止水材５３ｄが前記ドア３０の下面との当接面の縁端部に前記ドア３０に向かって突起する下部突起部５３ｆを備え、前記側部軟質止水材５５ｄが前記ドア３０の側面との当接面の縁端部に前記ドア３０に向かって突起する側部突起部５５ｆ備えることを特徴とする。
【００１３】
請求項４に記載の発明によれば、下部軟質止水材５３ｄがドア３０の下面との当接面の縁端部にドア３０に向かって突起する下部突起部５３ｆを備え、側部軟質止水材５５ｄがドア３０の側面との当接面の縁端部にドア３０に向かって突起する側部突起部５５ｆを備えるので、ドア３０を閉めた状態において、下部突起部５３ｆおよび側部突起部５５ｆがドア３０に高い圧力で圧着されることとなり、下部軟質止水材５３ｄおよび側部軟質止水材５５ｄとドア３０とが滑るおそれをなくすことができる。
また、下部突起部５３ｆおよび側部突起部５５ｆがドア３０と圧着されるので、ドア３０を閉める際、板材５１などの厚みによってドア３０が所定の位置まで閉じない場合でも、ドア３０が開いてしまうおそれがなく、止水性を発揮することができる。
【００１４】
請求項５に記載の発明は、請求項１から４のいずれか一項に記載の止水構造において、前記下部戸当り２３の前記ドア３０側の面に下部パッキン６３が前記下部戸当り２３に沿って設けられ、前記縦戸当り２４，２５の前記ドア３０側の面に少なくとも前記板材５１の側端部の範囲で、かつ、縦パッキン６５が前記縦戸当り２４，２５に沿って設けられ、前記下部パッキン６３と前記縦パッキン６５とが切れ目なく接続しており、前記下部パッキン６３が前記板材５１の下端部および前記下部シール５３とともに前記下部戸当り２３と前記ドア３０との間に挟持され、前記縦パッキン６５が前記板材５１の側端部および前記側部シール５４，５５ととともに前記縦戸当り２４，２５と前記ドア３０との間に挟持されることを特徴とする。
【００１５】
請求項５に記載の発明によれば、下部戸当り２３のドア３０側の面に下部パッキン６３が下部戸当り２３に沿って設けられ、縦戸当り２４，２５のドア３０側の面に少なくとも板材５１の側端部の範囲で、かつ、縦パッキン６５が縦戸当り２４，２５に沿って設けられ、下部パッキン６３と縦パッキン６５とが切れ目なく接続しており、下部パッキン６３が板材５１の下端部および下部シール５３とともに下部戸当り２３とドア３０との間に挟持され、縦パッキン６５が板材５１の側端部および側部シール５４，５５ととともに縦戸当り２４，２５とドア３０との間に挟持されるので、下部パッキン６３と縦パッキン６５との間から漏水するおそれがない。
このため、止水構造１がより高い止水性を発揮することができる。
【００１６】
請求項６に記載の発明は、請求項１から５のいずれか一項に記載の止水構造において、前記下部戸当り２３と前記縦戸当り２４，２５とには、パッキン６３，６５が設けられ、前記パッキン６３，６５は、前記下部戸当り２３の前記下部シール５３が当接する箇所と、前記縦戸当り２４，２５の前記側部シール５４，５５が当接する箇所とが、戸当り２０の他の箇所に比して弾性が高いことを特徴とする。
【００１７】
請求項６に記載の発明によれば、下部戸当り２３と縦戸当り２４，２５とには、パッキン６３，６５が設けられ、パッキン６３，６５は、下部戸当り２３の下部シール５３が当接する箇所と、縦戸当り２４，２５の側部シール５４，５５が当接する箇所とが、戸当り２０の他の箇所に比して弾性が高いので、ドア３０を閉めた状態において、下部シール５３と側部シール５４，５５とが弾性の高いパッキン６３，６５とそれぞれ圧着されることとなり、他の箇所よりも高い圧力で圧着することができ、より高い止水性を発揮することができる。
【００１８】
請求項７に記載の発明は、請求項１から６のいずれか一項に記載の止水構造１を採用して前記ドア枠１０と前記ドア３０との間を止水する止水方法であって、例えば、図１−４に示すように、前記ドア３０が開いた状態において、前記下部軟質止水材５３ｄおよび前記側部軟質止水材５５ｄがそれぞれ前記下枠１３および前記縦枠１４，１５に当接するように、前記板材５１を前記下部戸当り２３および前記縦戸当り２４，２５に立て掛け、前記ドア３０を閉めることで、前記板材５１の下端部と前記下部シール５３とを前記下部戸当り２３と前記ドア３０との間に挟持し、前記板材５１の側端部と前記側部シール５４，５５とを前記縦戸当り２４，２５と前記ドア３０との間に挟持し、前記下部軟質止水材５３ｄを前記下枠１３と前記ドア３０の下面との間に挟持し、前記側部軟質止水材５５ｄを前記縦枠１４，１５と前記ドア３０の側面との間に挟持することを特徴とする。
【００１９】
請求項７に記載の発明によれば、止水構造１を採用してドア枠１０とドア３０との間を止水する止水方法であって、ドア３０が開いた状態において、下部軟質止水材５３ｄおよび側部軟質止水材５５ｄがそれぞれ下枠１３および縦枠１４，１５に当接するように、板材５１を下部戸当り２３および縦戸当り２４，２５に立て掛け、ドア３０を閉めることで、板材５１の下端部と下部シール５３とを下部戸当り２３とドア３０との間に挟持し、板材５１の側端部と側部シール５４，５５とを縦戸当り２４，２５とドア３０との間に挟持し、下部軟質止水材５３ｄを下枠１３とドア３０の下面との間に挟持し、側部軟質止水材５５ｄを縦枠１４，１５とドア３０の側面との間に挟持するので、ドア３０を閉めることで、板材５１と下部シール５３および側部シール５４，５５とが戸当り２０とドア３０とに挟持されるのに加えて、下部軟質止水材５３ｄが下枠１３とドア３０の下面との間に挟持され、さらに側部軟質止水材５５ｄが縦枠１４，１５とドア３０の側面との間に挟持されることとなり、下枠１３および縦枠１４，１５とドア３０との間に板材５１を挟み込むよりも多くの箇所において止水性を発揮させることができる。
具体的には、ドア３０が戸当り２０と当接する箇所だけでなく、下部軟質止水材５３ｄおよび側部軟質止水材５５ｄを設けることで、ドア３０の下面および側面までが止水性を発揮することができる。
このため、下端部および側端部に下部軟質止水材５３ｄおよび側部軟質止水材５５ｄが設けられた板材５１をドア３０と戸当り２０との間に挟み込むだけで、板材５１のみを挟み込む場合に比べて、より高い止水性を発揮することができる。
【発明の効果】
【００２０】
本発明によれば、迅速に設置ができ、かつ、高い止水性を発揮できる止水構造および止水方法を提供することができる。
【図面の簡単な説明】
【００２１】
【図１】本発明の本実施形態に係る止水構造が設けられたドア装置を屋内側から見て示した正面図である。
【図２】図１において示したＩＩ−ＩＩ断面の断面図である。
【図３】図１において示したＩＩＩ−ＩＩＩ断面の断面図である。
【図４】本発明の本実施形態に係る下部軟質止水材および側部軟質止水材の断面図である。
【発明を実施するための形態】
【００２２】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２３】
図１は、建物の内側から見て示した止水構造１の正面図である。この止水構造１は建物の外や中へ出入りするための出入口に適用される。この出入口は建物の一階または地階の外壁２に設けられており、豪雨時の屋内への浸水がこの止水構造１によって防止される。
【００２４】
この止水構造１は、閉じた状態のドア３０と戸当り２０との間に止水板５０を挟み込むことによって、ドア３０と戸当り２０との間の隙間を通じた浸水を止水板５０によって防止するものである。より具体的には、この止水構造１は、屋外に冠水した水の圧力を利用して、止水板５０を戸当り２０に押し当てることによって止水性を向上させたものである。
【００２５】
続いて、止水構造１の構成について具体的に説明する。
この止水構造１は、ドア枠１０、戸当り２０、ドア３０、ヒンジ４０および止水板５０等から構成されている。
ドア枠１０は外壁２に取り付けられている。より具体的には、外壁２の外側と内側とに通じる矩形状の開口２ａ（前記出入口）が外壁２に設けられており、ドア枠１０がその開口２ａの内側でその開口２ａの縁に沿って外壁２に固定されている。
【００２６】
ドア枠１０は、上枠１２、下枠１３および左右の縦枠１４，１５を矩形状に枠組みしたものである。つまり、縦枠１４，１５が互いに間隔をおいて上下に延在し、上枠１２および下枠１３が互いに間隔をおいて左右に延在し、上枠１２の左右の端が縦枠１４，１５の上端にそれぞれ連結され、下枠１３の左右の端が縦枠１４，１５の下端にそれぞれ連結されている。
【００２７】
戸当り２０は、ドア枠１０の内側に凸状に設けられているとともに、正面から見て矩形枠状に設けられている。戸当り２０は上部戸当り２２、下部戸当り２３および縦戸当り２４，２５から構成されている。上部戸当り２２が、上枠１２の内側に凸状に設けられているとともに、上枠１２に沿って左右に延在する。下部戸当り２３が、下枠１３の内側に凸状に設けられているとともに、下枠１３に沿って左右に延在する。縦戸当り２４，２５は、それぞれ縦枠１４，１５の内側に凸状に設けられているとともに、それぞれ縦枠１４，１５に沿って上下に延在する。
【００２８】
ドア３０は開き戸式の扉である。このドア３０は、ヒンジ４０によって縦枠１４に取り付けられて、このヒンジ４０によって開閉可能に設けられている。具体的には、ドア３０が縦戸当り２４よりも屋外において縦枠１４にヒンジ結合されており、ドア３０が閉じた状態では、ドア３０が戸当り２０よりも屋外に配置されて、そのドア３０が戸当り２０に当たる。つまり、このドア３０は、屋外へ開く外開き式の扉である。
【００２９】
図２は、図１に示すII−IIに沿った面を矢印方向に向かって見て示した縦断面図である。図２に示すように、上部戸当り２２の屋外側の面には、中空に形成されたエラストマー（ゴム弾性体）からなる図示しない上部パッキンが固着され、上部戸当り２２に沿って設けられている。同様にして、下部戸当り２３の屋外側の面には、中実に形成されたエラストマーからなる下部パッキン６３が固着され、この下部パッキン６３は下部戸当り２３に沿って設けられている。
下部パッキン６３は、中実に形成されているため、上部パッキンよりも高い弾性力を有している。
【００３０】
図３は、図１に示すIII−IIIに沿った面を矢印方向に向かって見て示した横断面図である。図３に示すように、図１における右側の縦戸当り２５の屋外側の面には、エラストマーからなる縦パッキン６５が固着され、その縦パッキン６５は縦戸当り２５に沿って設けられている。同様にして、左側の縦戸当り２４の屋外側の面にも縦パッキンが固着され、この左の縦パッキンは縦戸当り２４に沿って設けられている。
縦戸当り２４，２５にそれぞれ設けられる縦パッキン６５および左の縦パッキンは、中空に形成されたエラストマーであるが、板材５１の側部シール５５と当接する箇所のみが中実に形成されている。
縦パッキン６５は、中実に形成された箇所が下部パッキン６３と同等の高い弾性力を有しており、それ以外の中空に形成された箇所が上部パッキンと同等の弾性力を有している。
なお、縦パッキン６５における中実に形成された箇所と中空に形成された箇所は切れ目なく連続している。
【００３１】
図１に示すように、止水板５０は、ドア３０の屋内側の面の下部に対向して、その面に面接触される。この止水板５０は、アタッチメントであって、ドア３０に対して着脱・接離可能である。
【００３２】
止水板５０は、矩形状に設けられた板材５１の縁部にシール５２を設けたものである。
この板材５１の幅寸法は、縦枠１４と縦枠１５との離間寸法と略同じ寸法に形成されている。このため、止水板５０をドア枠１０に取り付ける際、シール５２が縦枠１４，１５に圧着されるようになっている。
また、板材５１は透明、半透明または不透明な金属板、樹脂板、木板、ガラス板またはセラミック板である。図１では、板材５１が樹脂（例えば、アクリル樹脂、ポリカーボネート樹脂、ＡＢＳ樹脂、ＰＶＣ樹脂、ＰＢＴ樹脂若しくはポリアミド樹脂またはこれらの中の２以上のアロイ）からなる。
なお、板材５１が柔軟性・可撓性を有する薄板（シート）であってもよい。その場合には、板材５１が樹脂からなることが好ましい。板材５１を折ったり、丸めたりすることができるので、晴天時等において止水板５０を使用しない場合には、止水板５０をコンパクトにして収納することができる。
【００３３】
シール５２はエラストマーからなる。シール５２は正面から見てＵ字型（横コ字型）に形作られており、シール５２のうち板材５１の左右両側の端部に沿って設けられた部位をそれぞれ側部シール５４，５５といい、シール５２のうち板材５１の下端部に沿って設けられた部位を下部シール５３という。
【００３４】
図２，４に示すように、下部シール５３は、その一部が横断面Ｕ字型に形成され、ここに板材５１の下端部が嵌め込まれている。
より具体的に説明すると、下部シール５３は、板材５１の下端部を被覆するためのウエブ５３ａと、板材５１の前面および後面の下端部を被覆するためのフランジ部５３ｂ、５３ｃと、を有する。
このため、板材５１の下端部を下部シール５３における横断面Ｕ字型の箇所に嵌め込むだけで、板材５１の下端部が下部シール５３のウエブ５３ａによって被覆され、板材５１の前面および後面の下端部が下部シール５３のフランジ部５３ｂ，５３ｃによってそれぞれ被覆された状態となる。
また、下部シール５３には、板材５１の下端部側から屋外側に延出する下部軟質止水材５３ｄが下枠１３に沿って設けられている。なお、この下部軟質止水材５３ｄは、上記の横断面Ｕ字型に形成された箇所と一体または一体的に形成されている。
より具体的に説明すると、下部軟質止水材５３ｄは、下部シール５３の下端部であるウエブ５３ａから、板材５１と垂直に屋外側へ延出して設けられている。さらに、下部軟質止水材５３ｄは、下枠１３の長さ寸法と略等しい長さ寸法に設定され、この下枠１３に沿って設けられている。また、下部軟質止水材５３ｄは、屋外側へ向かうにつれて厚み寸法が増大するくさび状に形成されている。
このような下部軟質止水材５３ｄは、ドア３０を閉じた状態において、ドア３０の下面と下枠１３の上面とに挟み込まれている。
すなわち、くさび状の下部軟質止水材５３ｄは、屋外側の厚み寸法が大きく形成されており、ドア３０を閉じた状態においては、ドア３０の下面と下枠１３の上面との隙間に合わせて潰れた状態となる。このため、ドア３０と下枠１３との圧着の圧力が屋外側へ行くにつれて高くなっている。
【００３５】
側部シール５５も同様にして、その一部が横断面Ｕ字型に形成され、ここに板材５１の側端部が嵌め込まれている。
より具体的に説明すると、側部シール５４，５５は、板材５１の側端部を被覆するためのウエブ５５ａと、板材５１の前面および後面の側端部を被覆するためのフランジ部５５ｂ、５５ｃと、を有する。
このため、板材５１の側端部を側部シール５５における横断面Ｕ字型の箇所に嵌め込むだけで、板材５１の側端部が側部シール５５のウエブ５５ａによって被覆され、板材５１の前面および後面の側端部が側部シール５５のフランジ部５５ｂ，５５ｃによってそれぞれ被覆された状態となる。
また、側部シール５５には、板材５１の側端部側から屋外側に延出する側部軟質止水材５５ｄが縦枠２４，２５に沿って設けられている。なお、この側部軟質止水材５５ｄは、上記の横断面Ｕ字型に形成された箇所と一体または一体的に形成されている。
より具体的に説明すると、側部軟質止水材５５ｄは、側部シール５４，５５の側端部であるウエブ５５ａから、板材５１と垂直に屋外側へ延出して設けられている。さらに、側部軟質止水材５５ｄは、縦枠２４，２５の長さ寸法と略等しい長さ寸法に設定され、この縦枠２４，２５に沿って設けられている。また、側部軟質止水材５５ｄは、屋外側へ向かうにつれて厚み寸法が増大するくさび状に形成されている。
このような側部軟質止水材５５ｄは、ドア３０を閉じた状態において、ドア３０の下面と縦枠２４，２５の上面とに挟み込まれている。
すなわち、くさび状の側部軟質止水材５５ｄは、屋外側の厚み寸法が大きく形成されており、ドア３０を閉じた状態においては、ドア３０の側面と縦枠２４，２５の内面との隙間に合わせて潰れた状態となる。このため、ドア３０と縦枠２４，２５との圧着の圧力が屋外側へ行くにつれて高くなっている。
【００３６】
図４に示すように、下部軟質止水材５３ｄには、ドア３０の下面と当接する面に摩擦抵抗を増大させる下部滑り止め５３ｅが設けられている。この下部滑り止め５３ｅは、ドア３０の下面と当接する面から小さな山状の突起が複数設けられたものである。
また、この突起は山状でなくてもよく、断面が山状にドア３０の幅方向に延設されたものでもよい。
【００３７】
側部軟質止水材５５ｄにも同様にして、ドア３０の側面と当接する面に摩擦抵抗を増大させる側部部滑り止め５５ｅが設けられている。この側部滑り止め５５ｅは、ドア３０の側面と当接する面から小さな山状の突起が複数設けられたものである。
また、この突起は山状でなくてもよく、断面が山状にドア３０の高さ方向に延設されたものでもよい。
【００３８】
下部軟質止水材５３ｄには、その縁端部にドア３０側に向かって突起する下部突起部５３ｆが設けられている。この下部突起部５３ｆは、下部滑り止め５３ｅよりも大きく突起しており、下部軟質止水材５３ｄの縁端部よりも固く形成されている。
【００３９】
側部軟質止水材５５ｄにも同様にして、その縁端部にドア３０側に向かって突起する側部突起部５５ｆが設けられている。この側部突起部５５ｆは、側部滑り止め５５ｅよりも大きく突起しており、側部軟質止水材５５ｄの縁端部よりも固く形成されている。
なお、左側の側部シール５４は、右側の側部シール５５と対称的に形成されているため、その詳細については説明を省略する。
【００４０】
続いて、止水板５０の設置について説明する。
まず、ドア枠１０に止水板５０を設置する。
ドア３０を屋外側へ開けて、止水板５０の板材５１を戸当り２０の屋外側で下部戸当り２３および縦戸当り２４，２５に立て掛ける。
このとき、下部シール５３を下部パッキン６３に当接し、側部シール５５を縦パッキン６５に当接し、縦戸当り２４に設けられた縦パッキンに側部シール５４を当接する。
同時に、下部軟質止水材５３ｄの下面（下部滑り止め５３ｅおよび下部突起部５３ｆが設けられない面）を下枠１３の上面に当接し、側部軟質止水材５５ｄの外面（側部滑り止め５５ｅおよび側部突起部５５ｆが設けられない面）を縦枠１４，１５の内面に当接する。
【００４１】
次に、ドア３０を閉じる。
ドア３０を閉じる際、下部軟質止水材５３ｄおよび側部軟質止水材５５ｄにドア３０の下面および側面が当たる。具体的には、下部突起部５３ｆおよび側部突起部５５ｆがドア３０と当たり干渉することとなる。
また、下部軟質止水材５３ｄおよび側部軟質止水材５５ｄは、屋外側へ向かうとともに厚み寸法が大きくなるくさび状に形成されているので、突起部５３ｆ，５５ｆだけでなく軟質止水材５３ｄ，５５ｄ本体からも干渉を受ける。
この状態から、通常の開閉作業よりも強い力でドア３０を屋内側へと押し付けて、下部突起部５３ｆおよび側部突起部５５ｆをドア３０の下面および側面において滑らせてドア３０を閉じる。
【００４２】
こうすることにより、板材５１の下端部、下部シール５３および下部パッキン６３がドア３０と下部戸当り２３との間に挟持される（図２参照）。
また、板材５１の左側の端部、側部シール５４および縦パッキンがドア３０と縦戸当り２４との間に挟持され、板材５１の右側の端部、側部シール５５および縦パッキン６５がドア３０と縦戸当り２５との間に挟持される（図３参照）。
また、下部軟質止水材５３ｄがドア３０の下面と下枠１３の上面に挟持され（図２参照）、側部軟質止水材５５ｄがドア３０の側面と縦枠１４，１５の内面とに挟持される（図３参照）。
【００４３】
下部シール５３、側部シール５４，５５、下部パッキン６３、右の縦パッキン６５および左の縦パッキンが圧縮されるので、これらによってドア３０と戸当り２０との間の隙間が閉塞される。
また、下部軟質止水材５３ｄ、側部軟質止水材５５ｄが圧縮されるので、ドア３０とドア枠１０の隙間が閉塞される。
このため、止水性が向上する。また、ドア３０の外が冠水すると、水圧によってドア３０が閉じる方向へ押され、下部シール５３、側部シール５４，５５、下部パッキン６３、右の縦パッキン６５および左の縦パッキンによる止水性、並びに、下部軟質止水材５３ｄおよび側部軟質止水材５５ｄによる止水性がさらに向上する。
【００４４】
なお、止水板５０を撤去する際は、ドア３０を屋外側へ開き、ドア枠１０から止水板５０を取り外すことによって行う。
【００４５】
以上のように、本実施形態では、例えば、図１−３に示すように、上枠１２、下枠１３および左右の縦枠１４，１５を枠組みしてなるドア枠１０と、このドア枠１０に対し、ドア枠１０内の開口２ａを開閉可能に取り付けられるドア３０と、の間の止水構造１において、下枠１３の内側に下部戸当り２３が凸設され、縦枠１４，１５の内側に縦戸当り２４，２５が凸設され、ドア枠１０、下部戸当り２３、縦戸当り２４，２５およびドア３０に対して着脱可能な板材５１が下部戸当り２３および縦戸当り２４，２５に立て掛けられ、板材５１の下端部に沿って下部シール５３が設けられ、板材５１の側端部に沿って側部シール５４，５５が設けられ、下部シール５３には、板材５１の下端部側から屋外側に延出する下部軟質止水材５３ｄが下枠１３に沿って設けられ、側部シール５４，５５には、板材５１の側端部側から屋外側に延出する側部軟質止水材５５ｄが縦枠２４，２５に沿って設けられ、ドア３０が閉じた状態において、板材５１の下端部と下部シール５３とが下部戸当り２３とドア３０との間に挟持され、板材５１の側端部と側部シール５４，５５とが縦戸当り２４，２５とドア３０との間に挟持されるとともに、下部軟質止水材５３ｄが下枠１３とドア３０の下面との間に挟持され、側部軟質止水材５５ｄが縦枠１４，１５とドア３０の側面との間に挟持されるものとした。
【００４６】
こうすることで、下枠１３および縦枠１４，１５とドア３０との間に板材５１を挟み込むよりも広い範囲において止水性を発揮させることができる。
具体的には、ドア３０が戸当りと当接する箇所だけでなく、下部軟質止水材５３ｄおよび側部軟質止水材５５ｄを設けることで、ドア３０の下面および側面までが止水性を発揮することができる。
このため、板材５１の下端部および側端部に下部軟質止水材５３ｄおよび側部軟質止水材５５ｄを設けることで、ドア３０と戸当りとの間に板材５１を挟み込むだけの場合に比べて、より高い止水性を発揮することができる。
【００４７】
また、本実施形態では、例えば、図２−４に示すように、下部軟質止水材５３ｄおよび側部軟質止水材５５ｄがドア３０側に向かうにつれて厚み寸法が増大するくさび状にそれぞれ形成されるものとした。
こうすることで、板材５１を戸当りに立てかけた際、ドア３０を収容する空間は、ドア３０側に向かうとともに小さくなる。
このため、ドア３０を閉める際、下部軟質止水材５３ｄおよび側部軟質止水材５５ｄがドア３０と干渉するので、ドア３０を閉めるのに大きな抵抗が生じることとなる。
しかしながら、この抵抗は、下部軟質止水材５３ｄおよび側部軟質止水材５５ｄがドア３０と高い圧力で圧着することにつながるため、高い止水性を発揮することができる。
また、くさび形状により生じる抵抗は、ドア３０を開放する際の抵抗として作用するため、冠水している状態において、例えば、子供が誤ってドア３０を開けてしまうことを防止することができる。
【００４８】
また、本実施形態では、例えば、図４に示すように、下部軟質止水材５３ｄには、ドア３０の下面との当接面にドア３０との摩擦抵抗を増大させる下部滑り止め５３ｅが設けられ、側部軟質止水材５５ｄには、ドア３０の側面との当接面にドア３０との摩擦抵抗を増大させる側部滑り止め５５ｅが設けられるものとした。
こうすることで、ドア３０を閉めた状態において、下部滑り止め５３ｅおよび側部滑り止め５５ｅがドア３０の下面および側面に当接されることとなり、下部軟質止水材５３ｄおよび側部軟質止水材５５ｄとドア３０とが位置ずれを起こすおそれがない。
また、下部滑り止め５３ｅおよび側部滑り止め５５ｅがドア３０を係止するので、ドア３０を閉める際、板材５１などの厚みによってドア３０が所定の位置まで閉じない場合でも、ドア３０が開いてしまうおそれがなく、止水性を発揮することができる。
【００４９】
また、本実施形態では、例えば、図４に示すように、下部軟質止水材５３ｄがドア３０の下面との当接面の縁端部にドア３０に向かって突起する下部突起部５３ｆを備え、側部軟質止水材５５ｄがドア３０の側面との当接面の縁端部にドア３０に向かって突起する側部突起部５５ｆを備えるものとした。
こうすることで、ドア３０を閉めた状態において、下部突起部５３ｆおよび側部突起部５５ｆがドア３０に高い圧力で圧着されることとなり、下部軟質止水材５３ｄおよび側部軟質止水材５５ｄとドア３０とが滑るおそれをなくすことができる。
また、下部突起部５３ｆおよび側部突起部５５ｆがドア３０と圧着されるので、ドア３０を閉める際、板材５１などの厚みによってドア３０が所定の位置まで閉じない場合でも、ドア３０が開いてしまうおそれがなく、止水性を発揮することができる。
【００５０】
また、本実施形態では、下部戸当り２３のドア３０側の面に下部パッキン６３が下部戸当り２３に沿って設けられ、縦戸当り２４，２５のドア３０側の面に少なくとも板材５１の側端部の範囲で、かつ、縦パッキン６５が縦戸当り２４，２５に沿って設けられ、下部パッキン６３と縦パッキン６５とが切れ目なく接続しており、下部パッキン６３が板材５１の下端部および下部シール５３とともに下部戸当り２３とドア３０との間に挟持され、縦パッキン６５が板材５１の側端部および側部シール５４，５５ととともに縦戸当り２４，２５とドア３０との間に挟持されるものとした。
こうすることで、下部パッキン６３と縦パッキン６５との間から漏水するおそれがない。
このため、止水構造１がより高い止水性を発揮することができる。
【００５１】
また、本実施形態では、下部戸当り２３と縦戸当り２４，２５とには、パッキン６３，６５が設けられ、パッキン６３，６５は、下部戸当り２３の下部シール５３が当接する箇所と、縦戸当り２４，２５の側部シール５４，５５が当接する箇所とが、戸当りの他の箇所に比して弾性が高いものとした。
こうすることで、ドア３０を閉めた状態において、下部シール５３と側部シール５４，５５とが弾性の高いパッキン６３，６５とそれぞれ圧着されることとなり、他の箇所よりも高い圧力で圧着することができ、より高い止水性を発揮することができる。
【００５２】
また、本実施形態では、上述の止水構造１を採用してドア枠１０とドア３０との間を止水する止水方法であって、例えば、図１−４に示すように、ドア３０が開いた状態において、下部軟質止水材５３ｄおよび側部軟質止水材５５ｄがそれぞれ下枠１３および縦枠１４，１５に当接するように、板材５１を下部戸当り２３および縦戸当り２４，２５に立て掛け、ドア３０を閉めることで、板材５１の下端部と下部シール５３とを下部戸当り２３とドア３０との間に挟持し、板材５１の側端部と側部シール５４，５５とを縦戸当り２４，２５とドア３０との間に挟持し、下部軟質止水材５３ｄを下枠１３とドア３０の下面との間に挟持し、側部軟質止水材５５ｄを縦枠１４，１５とドア３０の側面との間に挟持するものとした。
【００５３】
こうすることで、ドア３０を閉めることで、板材５１と下部シール５３および側部シール５４，５５とが戸当りとドア３０とに挟持されるのに加えて、下部軟質止水材５３ｄが下枠１３とドア３０の下面との間に挟持され、さらに側部軟質止水材５５ｄが縦枠１４，１５とドア３０の側面との間に挟持されることとなり、下枠１３および縦枠１４，１５とドア３０との間に板材５１を挟み込むよりも多くの箇所において止水性を発揮させることができる。
具体的には、ドア３０が戸当りと当接する箇所だけでなく、下部軟質止水材５３ｄおよび側部軟質止水材５５ｄを設けることで、ドア３０の下面および側面までが止水性を発揮することができる。
このため、下端部および側端部に下部軟質止水材５３ｄおよび側部軟質止水材５５ｄが設けられた板材５１をドア３０と戸当りとの間に挟み込むだけで、板材５１のみを挟み込む場合に比べて、より高い止水性を発揮することができる。
【００５４】
以上、本発明を本実施形態に基づいて具体的に説明してきたが、本発明は上記本実施形態に限定されるものではなく、その要旨を逸脱しない範囲で変更可能である。
本実施形態では、ドア３０を閉じて止水構造を形成したがこれに限らず、例えば、ドア３０を開けた状態で止水構造を形成してもよい。
ただし、板材５１は極めて剛性の高い材質からなるか、板材５１の撓みを抑える撓み抑制手段を併用するものとする。
これは、ドア３０を開けた状態に保っても、下部シール５３、側部シール５４，５５、下部パッキン６３、縦パッキン６５、左の縦パッキン、下部軟質止水材５３ｄおよび側部軟質止水材５５ｄによる止水性を確保することができるからである。
具体的には、屋外が冠水すると、水圧が板材５１に直接作用し、板材５１が戸当り２０に押し付けられ、下部シール５３、側部シール５４，５５、下部パッキン６３、縦パッキン６５および左の縦パッキンが圧着される。
また、下部軟質止水材５３ｄおよび側部軟質止水材５５ｄは、水圧により、それぞれ下枠１３および縦枠１４，１５に圧着される。
このため、ドア３０が開いた状態においても、止水性を発揮することができる。
こうすることで、浸水を防止しつつドア３０を開けた状態とすることができるので、緊急時に開口２ａを介して屋内から屋外へと避難、または、屋外から屋内へと救助もしくは一時帰宅等をすることができる。
【００５５】
また、本実施形態では、下部パッキン６３および縦パッキン６５が中空に形成されており、下部シール５３および側部シール５４，５５と当接する箇所において中実に形成されるものとしたが、これに限らない。
例えば、下部シール５３および側部シール５４，５５と当接する箇所の材質を異なるものとして中空に形成してもよい。
【００５６】
また、本実施形態では、下部シールおよび側部シールは、Ｕ字型の箇所とくさび状の箇所が同じ材質のものとしたが、これに限らず、異なる材質のものであってもよく、切れ目なく形成されるのであれば、材質の異同は問わない。
また、くさび状の箇所は、弾性があまりにも低いとドア３０を閉める際、抵抗が強すぎて閉められなくなるおそれがあり、逆に高すぎると、水の浸入による水圧により変形してしまうおそれがある。このため、弾性の低すぎる材質や高すぎる材質のものは適さないため、適宜適切な弾性を有する材質のものを適用することが好ましい。
【符号の説明】
【００５７】
１     止水構造
２     外壁
２ａ   開口
１０   ドア枠
１２   上枠
１３   下枠
１４   縦枠
１５   縦枠
２０   戸当り
２２   上部戸当り
２３   下部戸当り
２４   縦戸当り
２５   縦戸当り
３０   ドア
４０   ヒンジ
５０   止水板
５１   板材
５２   シール
５３   下部シール
５３ａ ウエブ
５３ｂ フランジ部
５３ｃ フランジ部
５３ｄ 下部軟質止水材
５３ｅ 下部滑り止め
５３ｆ 下部突起部
５４   側部シール
５５   側部シール
５５ａ ウエブ
５５ｂ フランジ部
５５ｃ フランジ部
５５ｄ 側部軟質止水材
５５ｅ 側部滑り止め
５５ｆ 側部突起部
６３   下部パッキン
６５   縦パッキン
【図１】
0006529370.tif 000002
【図２】
0006529370.tif 000003
【図３】
0006529370.tif 000004
【図４】
0006529370.tif 000005